(57)【要約】【課題】計測した歩数データを容易にコンピュータに移動させる歩数計を提供する。【解決手段】歩数計１において、本体部２はコンピュータのＰＣカードスロットに嵌合する形状であり、歩数センサ１２及び歩数計測部等の構成要素の全てが本体部２内に組み込まれている。したがって、本体部２をコンピュータのＰＣカードスロットに挿入し、接続部５がＰＣカードスロット内のコネクタに接続されることによって、歩数計１に記録された歩数データをコンピュータに移動させることができる。これにより、ＵＳＢケーブル等を媒介させることなく、歩数データをコンピュータに移動させることが可能である。【選択図】図１
2010218118.tif 000002
【特許請求の範囲】
【請求項１】
歩行動作を検出し、当該歩行動作を表す歩行検出信号を生成する検出手段と、
上記検出手段が生成した歩行検出信号から歩数を表す歩数データを生成する歩数データ生成手段とを備えた拡張体部を備え、
上記拡張体部はコンピュータの拡張スロットに嵌合する形状であり、上記拡張体部が当該拡張スロットに挿入され、当該拡張スロットのコネクタに接続されたときに、上記歩数データ生成手段が生成した歩数データがコンピュータに取り込まれることを特徴とする歩数計。
【請求項２】
上記拡張体部は、
上記歩数データを記録する記録手段と、
上記拡張体部の外部表面に設けられた表示部に、上記記録手段に記録された歩数データを表示する表示手段とをさらに備えていることを特徴とする請求項１に記載の歩数計。
【請求項３】
上記拡張体部は、上記拡張体部の外部表面に設けられた操作部が、ユーザによる歩数データの修正操作を受け付けたとき、当該歩数データの修正操作を表す修正操作信号を上記記録手段に出力する操作手段をさらに備え、
上記記録手段は、上記操作手段によって出力された修正操作信号を受信したとき、当該修正操作信号が表す歩数データの修正操作を記録することを特徴とする請求項２に記載の歩数計。
【請求項４】
上記拡張体部は、上記拡張体部の外部表面に設けられた操作部が、ユーザによる歩数データの生成開始操作を受け付けたとき、当該生成開始操作を表す生成開始信号を上記検出手段に出力し、上記操作部がユーザによる歩数データの生成終了操作を受け付けたとき、当該生成終了操作を表す生成終了信号を上記検出手段に出力する操作手段をさらに備え、
上記検出手段は、上記生成開始信号を受信したとき、上記歩行動作の検出を開始し、上記生成終了信号を受信したとき、上記歩行動作の検出を終了することを特徴とする請求項１〜３のいずれか１項に記載の歩数計。
【請求項５】
上記拡張スロットはＰＣカードスロットであり、
上記拡張体部は、上記ＰＣカードスロットに嵌合するＰＣカード形状であることを特徴とする請求項１〜４のいずれか１項に記載の歩数計。
【発明の詳細な説明】
【技術分野】
【０００１】
本発明は、歩行動作に伴う歩数を計測する歩数計に関する。
【背景技術】
【０００２】
健康管理のために、ウォーキングやランニングした記録を歩数として測定し、その歩数データを歩数計からコンピュータ等に移動させ、データを管理する場合がある。従来、歩数計からの歩数データの移動は、歩数計とコンピュータとをケーブル等で接続することによって行われている。特許文献１には、歩数計をＵＳＢケーブルに接続し、このＵＳＢケーブルをコンピュータのＵＳＢポートに接続することによって、歩数計において計測した歩数データをコンピュータに移動させることが記載されている。
【先行技術文献】
【特許文献】
【０００３】
【特許文献１】特開２００３−１１１８８１号公報（２００３年４月１５日公開）
【発明の概要】
【発明が解決しようとする課題】
【０００４】
しかしながら、歩数データを頻繁に測定して記録する場合等には、容易にデータを移動できることが好ましく、測定した歩数データをより容易にコンピュータに移動できる歩数計の開発が望まれている。
【０００５】
本発明は、上記の問題点に鑑みてなされたものであり、その目的は、より容易に測定データをコンピュータに移動できる歩数計を実現することにある。
【課題を解決するための手段】
【０００６】
上記の課題を解決するために、本発明に係る歩数計は、歩行動作を検出し、当該歩行動作を表す歩行検出信号を生成する検出手段と、上記検出手段が生成した歩行検出信号から歩数を表す歩数データを生成する歩数データ生成手段とを備えた拡張体部を備え、上記拡張体部はコンピュータの拡張スロットに嵌合する形状であり、上記拡張体部が当該拡張スロットに挿入され、当該拡張スロットのコネクタに接続されたときに、上記歩数データ生成手段が生成した歩数データがコンピュータに取り込まれることを特徴としている。
【０００７】
上記の構成によれば、歩数計は、拡張体部内に、検出した歩行動作の歩行検出信号を生成する検出手段と、検出手段が生成した歩行検出信号から歩行動作に伴う歩数を表す歩数データを生成する歩数データ生成手段とを備えている。そして、拡張体部は、コンピュータの機能を拡張するための拡張体を挿入する差込口としてコンピュータに設けられた拡張スロットに嵌合する形状である。したがって、拡張体部自身を拡張スロットに挿入し、拡張スロットのコネクタに接続されたときに、歩数データ生成手段が生成した歩数データがコンピュータに取り込まれる。これにより、ＵＳＢケーブル等を媒介させることなく、歩数データをコンピュータに移動させることが可能であるため、より容易に歩数データをコンピュータに移動させることができる。
【０００８】
本発明に係る歩数計において、上記拡張体部は、上記歩数データを記録する記録手段と、上記拡張体部の外部表面に設けられた表示部に、上記記録手段に記録された歩数データを表示する表示手段とをさらに備えていることが好ましい。
【０００９】
上記の構成によれば、歩数データ生成手段が生成した歩数データは記録手段によって記録され、表示手段によって、拡張体部の外部表面に設けられた表示部に表示される。これにより、ユーザは容易に歩数データを確認することができる。
【００１０】
本発明に係る歩数計において、上記拡張体部は、上記拡張体部の外部表面に設けられた操作部が、ユーザによる歩数データの修正操作を受け付けたとき、当該歩数データの修正操作を表す修正操作信号を上記記録手段に出力する操作手段をさらに備え、上記記録手段は、上記操作手段によって出力された修正操作信号を受信したとき、当該修正操作信号が表す歩数データの修正操作を記録することが好ましい。これにより、ユーザは記録した歩数データを修正することが可能であり、修正した歩数データを記録して、コンピュータに取り込ませることができる。
【００１１】
本発明に係る歩数計において、上記拡張体部は、上記拡張体部の外部表面に設けられた操作部が、ユーザによる歩数データの生成開始操作を受け付けたとき、当該生成開始操作を表す生成開始信号を上記検出手段に出力し、上記操作部がユーザによる歩数データの生成終了操作を受け付けたとき、当該生成終了操作を表す生成終了信号を上記検出手段に出力する操作手段をさらに備え、上記検出手段は、上記生成開始信号を受信したとき、上記歩行動作の検出を開始し、上記生成終了信号を受信したとき、上記歩行動作の検出を終了することが好ましい。
【００１２】
上記の構成によれば、ユーザの開始又は終了操作に基づいて、検出手段が歩行動作の検出を開始又は終了するので、ユーザからの開始又は終了操作によって、歩数データ生成手段は歩数データの生成を開始又は終了する。これにより、ユーザは所望のタイミングで歩数データの生成を開始又は終了することができる。
【００１３】
本発明に係る歩数計において、上記拡張スロットはＰＣカードスロットであり、上記拡張体部は、上記ＰＣカードスロットに嵌合するＰＣカード形状であることが好ましい。このように、拡張体部がＰＣカード形状であり、ＰＣカードスロットに挿入され、ＰＣカードスロットのコネクタに接続されたときに、歩数計内に記録された歩数データがコンピュータに取り込まれる。すなわち、歩数計はＰＣカードとしても機能し得る。したがって、ＵＳＢケーブル等を媒介させることなく、歩数データをコンピュータに移動させることが可能であり、より容易に歩数データをコンピュータに移動させることができる。
【発明の効果】
【００１４】
本発明に係る歩数計は、歩行動作を検出し、当該歩行動作を表す歩行検出信号を生成する検出手段と、上記検出手段が生成した歩行検出信号から歩数を表す歩数データを生成する歩数データ生成手段とを備えた拡張体部を備え、上記拡張体部はコンピュータの拡張スロットに嵌合する形状であり、上記拡張体部が当該拡張スロットに挿入され、当該拡張スロットのコネクタに接続されたときに、上記歩数データ生成手段が生成した歩数データがコンピュータに取り込まれるので、ＵＳＢケーブル等を媒介させることなく、歩数データをコンピュータに移動させることが可能であり、より容易に歩数データをコンピュータに移動させることができる。
【図面の簡単な説明】
【００１５】
【図１】本発明の一実施形態に係る歩数計を示す斜視図である。
【図２】本発明の一実施形態に係る歩数計の構成を示すブロック図である。
【図３】本発明に係る歩数計における計測処理の流れの例を示すフローチャートである。
【図４】本発明に係る歩数計におけるデータ修正処理の流れの例を示すフローチャートである。
【発明を実施するための形態】
【００１６】
以下、本発明の実施の形態について、図１〜４を参照して以下に説明する。図１は、本発明の一実施形態に係る歩数計１の概略を示す斜視図であり、図２は、本発明の一実施形態に係る歩数計１の構成を示すブロック図である。図３は、本発明に係る歩数計１における計測処理の流れの一例を示すフローチャートであり、図４は、本発明に係る歩数計１におけるデータ修正処理の流れの一例を示すフローチャートである。
【００１７】
図１に示すように、歩数計１は、本体部（拡張体部）２、表示画面（表示部）３、操作部４、及び接続部５を備えている。本実施形態において、歩数計１の本体部２は、コンピュータに設けられたＰＣカードスロットに嵌合する直方体のＰＣカード形状であり、ＰＣカードスロットに挿入され得る。本体部２は、ＰＣカード形状に限定されず、コンピュータに設けられた他の拡張スロットに嵌合する形状であり、当該拡張スロットに挿入されるものであればよい。
【００１８】
表示画面３は、本体部２の外部表面に設けられており、歩数計１に記録された歩数データを表示する。
【００１９】
操作部４は、ユーザからの種々の入力を受け付ける複数の入力キーを備えており、本体部２の外部表面に設けられている。このような、入力キーとして、歩数の測定開始又は終了の入力を受け付ける開始キー及び終了キー、歩数データを選択したことを表す選択入力を受け付ける選択キー、選択した歩数データを修正したことを表す修正入力を受け付ける修正キー等が挙げられる。修正キーとして、選択した歩数データの増加又は減少を表す増加入力又は減少入力を受け付ける増加キー及び減少キーが含んでいてもよい。増加キー及び減少キーは、複数の歩数データにそれぞれ関連付けられた歩数データ番号において、より上位又は下位の歩数データ番号を選択したことを表す増加入力又は減少入力を受け付けるようになっていてもよい。
【００２０】
接続部５は、本体部２がＰＣカードスロットに挿入されたときに、ＰＣカードスロット内のコネクタに接続されるものである。本発明に係る歩数計１においては、接続部５がＰＣカードスロットのコネクタに接続されたときに、歩数計１に記録された歩数データがコンピュータに取り込まれる。
【００２１】
このように、歩数計１において、本体部２はコンピュータのＰＣカードスロットに嵌合する形状であり、構成要素の全てが本体部２内に組み込まれているので、本体部２をコンピュータのＰＣカードスロットに挿入し、接続部５がＰＣカードスロット内のコネクタに接続されることによって、歩数計１に記録された歩数データをコンピュータに移動させることができる。これにより、ＵＳＢケーブル等を媒介させることなく、歩数データをコンピュータに移動させることが可能であるため、より容易に歩数データをコンピュータに移動させることができる。
【００２２】
また、歩数計１において、本体部２がコンピュータのＰＣカードスロットに嵌合するＰＣカード形状であるため、ユーザが歩数を計測するときに携帯するのが容易である。すなわち、ＰＣカード形状の本体部２は、例えば大きさが５４×８５．６×５ｍｍであるため、手帳、定期入れ、財布等に入れて携帯することも可能であり、これらをシャツの胸ポケット等に入れて携帯してもよい。これにより、歩数計１を装着する身体部位が限定されない。また、歩数計１は、ＰＣカードスロットに完全に収納可能である事から、コンピュータの筐体からはみ出す事が無く安全性が高い。
【００２３】
次に、歩数計１の他の構成要素について説明する。図２に示すように、歩数計１は、データ入力部（操作手段）１１、歩数センサ（検出手段）１２、歩数計測部（歩数データ生成手段）１３、演算処理部１４、クロック１７、及び表示部（表示手段）１８を備えている。また、演算処理部１４は、記憶部（記録手段）１５及び演算部１６を備えている。
【００２４】
データ入力部１１は、ユーザによる操作部４の各入力キーからの入力を受け付け、それぞれの入力を表す入力信号を生成し、演算処理部１４に送信する。
【００２５】
歩数センサ１２は、ユーザの歩行動作を検出し、歩行動作を表す歩行検出信号を生成して、歩数計測部１３に送信する。歩数センサ１２は、ユーザの歩行動作を検出することが可能な公知のセンサにより構成することができる。このような歩数センサ１２として、例えば、ユーザの上下運動を検出することが可能な、ＭＥＭＳ加速度計、ホール素子、電磁ピックアップセンサ、圧電素子等を用いることができる。
【００２６】
歩数計測部１３は、歩数センサ１２が生成した歩行検出信号から歩数を表す歩数データを生成して、演算処理部１４に送信する。
【００２７】
演算処理部１４は、ＣＰＵ等により構成される演算部１６と記憶部１５とを備えている。記憶部１５には、歩数計測部１３において生成された歩数データと、クロック１７において測定された時刻データとが保存される。演算部１６は、歩数計１の各構成要素の機能を制御するものであり、本実施形態において特に明示しない限り、各構成要素は演算部１６により制御される。
【００２８】
クロック１７は、データ入力部がユーザによる歩数の測定開始又は終了の入力を受け付けたとき、その時刻を測定する。これにより、歩数の測定と共に歩行時間も測定される。
【００２９】
表示部１８は、記憶部１５に保存された歩数データ及び時刻データを、表示画面３に表示する。また表示部１８は、１ヶ月間等の一定期間の歩数データをグラフ化して表示画面３に表示し、ユーザが過去のデータを見直し、これまでの反省や今後の取り組みの改善をしやすくすることもできる。
【００３０】
次に、歩数計１における計測処理の流れの例を、図３を参照して説明する。まず、ステップＳ３０において、データ入力部１１が、ユーザによる操作部４の入力を受け付ける。そして、ステップＳ３１において、受け付けた入力が開始入力及び終了入力のいずれであるかを判定する。ステップＳ３１において開始入力であると判定したとき、データ入力部１１は、当該生成開始操作を表す生成開始信号を歩数センサ１２に送信する。生成開始信号を受信した歩数センサ１２は、ユーザの歩行動作を検出する（ステップＳ３２）。ステップＳ３１において終了入力であると判定したとき、データ入力部１１は、当該生成終了操作を表す生成終了信号を歩数センサ１２に送信する。生成終了信号を受信した歩数センサ１２は、歩行動作の検出を終了し、計測処理を終了する（ＥＮＤ）。このとき、クロック１７は、歩行動作の検出を終了した時刻を計測する。
【００３１】
そして、歩数センサ１２は、ステップＳ３２において検出した歩行動作を表す歩行検出信号を生成する（ステップＳ３３）。歩数計測部１３は、ステップＳ３３において歩数センサ１２が生成した歩行検出信号から、歩行動作に伴う歩数を表す歩数データを生成する（ステップＳ３４）。ステップＳ３５において、クロック１７が計測した、歩行動作の検出を開始した時刻を表す時刻情報を取得し、生成した歩数データを、時刻情報を表す時刻データと関連付けて記憶部１５に記録する（ステップＳ３６）。このとき、時刻データには歩数を計測した日付情報が含まれていてもよい。表示部１８によって、記憶部１５に記録された歩数データ及び時刻データが表示画面３に表示され、計測処理が終了する（ＥＮＤ）。
【００３２】
計測した歩数データは、歩数計１をコンピュータのＰＣカードスロットに挿入し、接続部５がＰＣカードスロットのコネクタに接続することによって、コンピュータに転送される。接続部５がコネクタに接続されると、歩数計１はコンピュータにより自動認識され、コンピュータに導入された歩数計専用処理ソフトが起動し、歩数データがコンピュータに取り込まれる。取り込まれた歩数データのうち、予め設定された指定データがコンピュータの指定データ保存部に保存される。
【００３３】
指定データとしては、例えば、前回保存した後に更新されたデータのみや、歩数計に記録されている全ての歩数データを設定することができる。コンピュータに歩数計専用処理ソフトが導入されていない場合、コンピュータのエクスプローラを起動し、歩数データを表示させる。表示した歩数データのうち、予め設定された指定データを保持部に移動させる。歩数データが取り込まれた後、コンピュータと歩数計１との接続を切断し、歩数計１をＰＣカードスロットから取り出すことによって、歩数データの転送処理を終了する。
【００３４】
このように、歩数計１は、コンピュータのＰＣカードスロットに嵌合する形状であるため、ＰＣカードスロットに挿入してコネクタに接続することによって、記録された歩数データをコンピュータに取り込ませることができる。したがって、より容易に歩数データをコンピュータに転送することが可能であり、歩数データの管理が容易である。
【００３５】
歩数計１において測定した歩数データは、コンピュータに転送される前に歩数計１内の記憶部１５に一旦保存される。そして、記憶部１５に保存された歩数データは適宜修正可能である。歩数計１におけるデータ修正処理の流れの例を、図４を参照して説明する。まず、表示画面３に記憶部１５に保存された歩数データを表示させ、ステップＳ４０において、表示された歩数データのうち、修正の対象となる歩数データを操作部４の選択キーにより選択する。そして、表示画面３に表示された歩数データの修正項目を選択する（ステップＳ４１）。修正項目としては、例えば、歩数、歩数データの計測された日付、時刻等が挙げられる。
【００３６】
次に、選択された修正項目に対応するデータが表示画面３に表示され（ステップＳ４２）、表示されたデータの修正入力を受け付ける（ステップＳ４３）。データの修正入力は、例えば操作部４の増加キー及び減少キーを用いて、数値の増加又は減少を入力することによって行う。操作部４がユーザによる歩数データの修正操作を受け付け、当該修正が決定したことを表す修正決定入力を受け付けたとき（ステップＳ４４）、データ入力部１１は修正決定入力（修正操作信号）を記憶部１５に出力する。記憶部１５が修正決定入力を受信したとき、修正されたデータを記憶部１５に保存し（ステップＳ４５）、修正処理を終了する（ＥＮＤ）。
【００３７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００３８】
本発明は、健康機器分野に好適に利用することができる。
【符号の説明】
【００３９】
１  歩数計
２  本体部（拡張体部）
３  表示画面
４  操作部
５  接続部
１１  データ入力部（操作手段）
１２  歩数センサ（検出手段）
１３  歩数計測部（歩数データ生成手段）
１４  演算処理部
１５  記憶部（記録手段）
１６  演算部
１７  クロック
１８  表示部（表示手段）
【図１】
2010218118.tif 000003
【図２】
2010218118.tif 000004
【図３】
2010218118.tif 000005
【図４】
2010218118.tif 000006